(57)【要約】【課題】ラッチの係合を解除する手段を選択可能なラッチ機構及びドア装置を提供する。【解決手段】ラッチ機構３は、枠体１１及び枠体１１内に開閉可能に設けられたドア１のいずれか一方に設けられた凹部側に出没可能なラッチ３４０と、ラッチ３４０と係合して、ラッチ３４０の出没を規制する係合部と、ラッチ３４０の係合を解除可能な複数の操作手段と、を備え、複数の操作手段は、電気錠装置４０、シリンダー錠５１と、シリンダー錠の施解錠操作が可能なサムターン５２と、を有する施解錠装置５０、及びスイッチ６０のうちいずれか２以上であることを特徴とする。【選択図】図１
2020165299.tif 000002
【特許請求の範囲】
【請求項１】
枠体及び該枠体内に開閉可能に設けられたドアのいずれか一方に設けられた凹部側に出没可能なラッチと、
該ラッチと係合して、該ラッチの出没を規制する係合部と、
前記ラッチの係合を解除可能な複数の操作手段と、を備えることを特徴とするラッチ機構。
【請求項２】
前記複数の操作手段は、
電気錠装置、
シリンダー錠と、該シリンダー錠の施解錠操作が可能なサムターンと、を有する施解錠装置、及び
スイッチのうちいずれか２以上である請求項１に記載のラッチ機構。
【請求項３】
前記電気錠装置から送信される信号に基づいて、前記係合部を操作する駆動部を備え、
前記ラッチ、前記係合部及び前記駆動部は、同一のケースの内部に収容されている請求項２に記載のラッチ機構。
【請求項４】
前記電気錠装置から送信される信号に基づいて、前記係合部を操作する駆動部を備え、
前記ラッチ及び前記係合部は、同一のケースに収容され、
前記駆動部は、前記ケースの外部に配置されている請求項２に記載のラッチ機構。
【請求項５】
請求項１から４のいずれか一項に記載のラッチ機構を備えることを特徴とするドア装置。
【請求項６】
前記枠体は、
四方枠状に形成されたドア枠と
該ドア枠内に、幅方向の一方側に配置された袖パネルと、を有し、
前記ドアは、前記ドア枠内の前記幅方向の他方側に、前記袖パネルと隣接配置され、
前記ラッチ、前記係合部及び前記操作手段は、前記袖パネルに配置されている請求項５に記載のドア装置。
【発明の詳細な説明】
【技術分野】
【０００１】
本発明は、ラッチ機構及びドア装置に関するものである。
【背景技術】
【０００２】
従来から、ドアのハンドル操作に伴って出没可能とされたラッチ機構が知られている。
例えば、特許文献１では、ドア本体から離れた箇所に設けられたハンドルの操作に伴って、ハンドルに接続されたワイヤを介してドア本体に設けられたラッチの係合が解除されるドアが提案されている。このドアでは、ドア本体から離れた位置からドア本体の開閉が可能とされている。
【先行技術文献】
【特許文献】
【０００３】
【特許文献１】特開２０１１−２２６２４２号公報
【発明の概要】
【発明が解決しようとする課題】
【０００４】
ところで、上記の特許文献１に記載のドアでは、ラッチの係合を解除する開閉操作手段がハンドルに限定されているが、近年、需要者の好みや操作のしやすさ等に応じて、他の開閉操作手段を選択可能とすることが望まれている。
【０００５】
そこで、本発明は、上記事情に鑑みてなされたものであり、ラッチの係合を解除する手段を選択可能なラッチ機構及びドア装置を提供する。
【課題を解決するための手段】
【０００６】
上記目的を達成するために、本発明は以下の手段を採用している。
すなわち、本発明に係るラッチ機構は、枠体及び該枠体内に開閉可能に設けられたドアのいずれか一方に設けられた凹部側に出没可能なラッチと、該ラッチと係合して、該ラッチの出没を規制する係合部と、前記ラッチの係合を解除可能な複数の操作手段と、を備えることを特徴とする。
【０００７】
このように構成されたラッチ機構では、ラッチの出没を規制する係合部とラッチとの係合を解除可能な操作手段は複数あるため、利用者は複数の操作手段の中から任意の一の操作手段を選択して、係合部とラッチとの係合を解除することができる。
【０００８】
また、本発明に係るラッチ機構では、前記複数の操作手段は、電気錠装置、シリンダー錠と、該シリンダー錠の施解錠操作が可能なサムターンと、を有する施解錠装置、及び
スイッチのうちいずれか２以上であることが好ましい。
【０００９】
このように構成されたラッチ機構では、電気錠装置、施解錠装置及びスイッチのうちのいずれか２以上の操作手段の中から、利用者は、任意の一の操作手段を選択して、係合部とラッチとの係合を解除することができる。
【００１０】
また、本発明に係るドア装置は、上記のいずれか一に記載のラッチ機構を備えることを特徴とする。
【００１１】
このように構成されたドア装置では、ラッチの出没を規制する係合部とラッチとの係合を解除可能な操作手段は複数あるため、利用者は複数の操作手段の中から任意の一の操作手段を選択して、係合部とラッチとの係合を解除することができる。
また、ドアを開閉するハンドルは、操作手段とは構造的に独立しているため、利用者の好み等に応じてハンドルを選択できる。よって、ハンドルの選択の自由度を高めることができる。
【００１２】
また、本発明に係るドア装置は、前記枠体は、四方枠状に形成されたドア枠と該ドア枠内に、幅方向の一方側に配置された袖パネルと、を有し、前記ドアは、前記ドア枠内の前記幅方向の他方側に、前記袖パネルと隣接配置され、前記ラッチ、前記係合部及び前記操作手段は、前記袖パネルに配置されていてもよい。
【００１３】
このように構成されたドア装置では、ラッチ、係合部及び操作手段は袖パネルに配置されているため、ドアを簡易な構成とすることができる。
【発明の効果】
【００１４】
本発明に係るラッチ機構及びドア装置によれば、ラッチの係合を解除する手段を選択することができる。
【図面の簡単な説明】
【００１５】
【図１】本発明の一実施形態に係るドア装置を示す斜視図である。
【図２】本発明の一実施形態に係るラッチ機構の構成を示す斜視図であり、係合部とラッチとが係合している状態を示している。
【図３】本発明の一実施形態に係るラッチ機構の構成を示す正面図であり、係合部とラッチとが係合している状態を示している。
【図４】本発明の一実施形態に係るラッチ機構の構成を示す正面図であり、係合部とラッチとの係合が解除している状態を示している。
【図５】図３のＡ−Ａ線断面図である。
【図６】図４のＢ−Ｂ線断面図である。
【図７】本発明の一実施形態に係るドア装置のドアが閉状態から開状態に移行する様子を示す図である。
【図８】本発明の一実施形態に係るドア装置のドアが開状態から閉状態に移行する様子を示す図である。
【図９】本発明の一実施形態の変形例１に係るドア装置を示す正面図である。
【図１０】一実施形態の変形例２に係るラッチ機構の構成を示す斜視図。
【図１１】図１０から外側ケーシングを取り外した図。
【図１２】図１１からスイッチを取り外した図。
【図１３】変形例２で、係合部とラッチとが係合している状態を示す図。
【図１４】変形例２で、係合部とラッチとの係合が解除している状態を示す図。
【図１５】変形例２で、係合部とラッチとが係合している状態を示す図。
【図１６】変形例２で、係合部とラッチとの係合が解除している状態を示す図。
【図１７】変形例２で、ラッチがケースから突出した状態を示す図。
【図１８】変形例２で、ラッチがケースの内部に収容された状態を示す図。
【発明を実施するための形態】
【００１６】
以下、本発明の一実施形態に係るラッチ機構及びドア装置ついて、図面を用いて説明する。
図１は、本発明の一実施形態に係るドア装置を示す斜視図である。
図１に示すように、ドア装置１００は、枠体（ドア枠）１１と、枠体１１内に開閉可能に設けられたドア１と、を備えている。
【００１７】
枠体１１は、四方枠状をなしている。枠体１１は、上枠１１ａと、下枠１１ｂと、戸先側の縦枠１１ｃと、吊元側の縦枠１１ｄと、を有している。
【００１８】
ドア１は、戸先側の縦枠１１ｃ側と中心として、吊元側の縦枠１１ｄを開放するように開く。
【００１９】
ドア１は、ドア本体２と、ラッチ機構３と、を有している。本実施形態のドア１は、屋外用及び屋内用のいずれにも対応可能である。
【００２０】
ドア本体２は、板状に形成されている。ドア本体２は、正面視で、上下方向に長い略長方形をなしている。なお、ドア本体２のデザインは、適宜設定可能である。
【００２１】
ドア本体２には、利用者が把持可能なハンドル２１が設けられている。利用者はハンドル２１を把持して、ドア本体２の押し引きが可能である。
【００２２】
本実施形態では、ハンドル２１は、ドア本体２の幅方向に長い形状をなしている。なお、ハンドル２１の形状は、適宜設定可能であり、上下方向に長い形状や、ドアノブ形状であってもよい。
【００２３】
なお、以下の説明において、ドア本体２の幅方向（短手方向）を単に幅方向と称し、ドア本体２の戸先側を単に戸先側と称し、ドア本体２の吊元側（戸先側と反対側）を単に吊元側と称し、閉じた状態でのドア本体２の厚さ方向を奥行方向と称し、ドア本体２の長手方向を上下方向と称することがある。
【００２４】
ラッチ機構３は、ラッチ装置３０と、電気錠装置（操作手段）４０と、施解錠装置（操作手段）５０と、スイッチ（操作手段）６０と、を備えている。
【００２５】
図２は、ラッチ装置３０の構成を示す斜視図であり、係合部とラッチとが係合している状態を示している。図２では、後述するケース第二板部３１６（図５参照。以下同じ。）の図示を省略して、ラッチ装置３０の内部の構成を示している。
図２に示すように、ラッチ装置３０は、ケース３１０と、ラッチポケット３２０と、ラッチ制御バー（係合部）３３０と、ラッチボルト（ラッチ）３４０と、追従ピン３６０と、駆動部３７０と、を備えている。
【００２６】
ケース３１０は、箱状をなしている。ケース３１０は、ケース第一板部３１１と、ケース第一板部３１１の上部に連結されたケース上板部３１２と、ケース第一板部３１１の下部に連結されたケース下板部３１３と、ケース第一板部３１１の幅方向の両側に連結された一対のケース側板部３１４，３１５と、ケース第一板部３１１と対向配置されたケース第二板部３１６（図５参照。以下同じ）と、を有している。
【００２７】
一対のケース側板部３１４，３１５のうちケース側板部３１４は、図１に示すように、ドア本体２の戸先側の側面２２に沿って配置されている。ドア本体２の側面２２には取付孔２２ｈが形成され、ケース側板部３１４は取付孔２２ｈから露出している。
【００２８】
図３は、ラッチ装置３０の構成を示す図であり、奥行方向から見た図であり、ラッチ制御バー３３０とラッチボルト３４０とが係合している状態を示している。図３では、ケース第二板部３１６の図示を省略して、ラッチ装置３０の内部の構成を示している。
図３に示すように、ケース側板部３１４には、幅方向に貫通するポケット挿通孔３１４ｈが形成されている。ポケット挿通孔３１４ｈには、後述するラッチポケット３２０のポケット側板部３２４が配置されている。
【００２９】
ラッチポケット３２０は、箱状をなしている。ラッチポケット３２０は、ケース下板部３１３とケース側板部３１４との角部に沿って配置されている。
【００３０】
ラッチポケット３２０は、ケース下板部３１３に沿って配置されたポケット下板部３２１と、ケース第一板部３１１に沿って配置されたポケット第一板部３２２と、ポケット下板部３２１の上方に配置されたポケット上板部３２３と、ケース側板部３１４に沿って配置されたポケット側板部３２４（二点鎖線参照）と、ポケット側板部３２４と対向配置されたポケット側板部３２５と、を有している。
【００３１】
図２に示すように、ポケット上板部３２３には、上下方向に貫通するスリット３２３ｓが奥行方向に離間して２箇所に形成されている。スリット３２３ｓには、後述するラッチ制御バー３３０の係合片３３４が挿通可能とされている。
【００３２】
図３に示すように、ポケット側板部３２４には、幅方向に貫通するラッチ挿通孔３２４ｈが形成されている。ラッチ挿通孔３２４ｈには、後述するラッチボルト３４０のラッチ出没体３４１が挿通されている。
【００３３】
ポケット側板部３２５には、幅方向に貫通するピン挿通孔３２５ｈが形成されている。
ピン挿通孔３２５ｈには、後述する追従ピン３６０が挿通されている。
【００３４】
図２に示すように、ラッチ制御バー３３０は、正面視、略Ｌ字状をなしている。ラッチ制御バー３３０は、奥行方向の離間した一対のＬ板部３３１を有している。一対のＬ板部３３１は、複数箇所で互いに連結されている。
【００３５】
Ｌ板部３３１は、幅方向に延びる横板部３３２と、横板部３３２の吊元側の端部から下方の延びる縦板部３３３と、を有している。横板部３３２と縦板部３３３とは、一体に形成されている。
【００３６】
横板部３３２の戸先側の下端部には、下方に延びる係合片３３４が設けられている。係合片３３４の下端部３３４ｄは、戸先側に向かうにしたがって次第に下方に向かうように傾斜している。
【００３７】
一対のＬ板部３３１の縦板部３３３の下端部どうしは、下部板部３３６で連結されている。下部板部３３６には、下方に延びる受け部３３７が設けられている。
【００３８】
受け部３３７の奥行方向の両側には、吊元側に向かうにしたがって次第に奥行方向の反対側を向くように傾斜する面３３７ａが設けられている（図５参照）。
【００３９】
一対のＬ板部３３１の縦板部３３３の下部の戸先側の端部どうしは、被押圧板部３３８で連結されている。被押圧板部３３８は、後述する追従ピン３６０により押圧可能とされている。
【００４０】
ラッチ制御バー３３０には、上部且つ吊元側に、奥行方向に貫通する軸孔３３０ｈが形成されている。ケース３１０のケース第一板部３１１及びケース第二板部３１６に連結された支持軸３１８が、軸孔３３０ｈに挿通されている。ラッチ制御バー３３０は、支持軸３１８を中心として揺動可能とされている。
【００４１】
図３に示すように、ラッチボルト３４０は、ラッチポケット３２０のポケット側板部３２４に形成されたラッチ挿通孔３２４ｈから幅方向に進退可能に設けられている。ラッチボルト３４０は、縦枠１１ｃに設けられたラッチ溝（凹部）１２（図７参照。以下同じ。
）側に出没可能とされている。また、ラッチボルト３４０は、奥行方向に回転可能とされている。
【００４２】
ラッチボルト３４０は、ラッチポケット３２０のラッチ挿通孔３２４ｈから出没可能なラッチ出没体３４１と、ラッチポケット３２０内に収容されたラッチ係合体３４６と、を有している。ラッチ出没体３４１とラッチ係合体３４６とは、一体に形成されている。
【００４３】
ラッチ出没体３４１は、上方から見て、三角形をなしている。図２に示すように、ラッチ出没体３４１は、第一当たり面３４２と、第二当たり面３４３と、を有している。
【００４４】
ラッチ制御バー３３０とラッチボルト３４０とが係合した状態で、第一当たり面３４２は、幅方向に沿って配置されている。ラッチ制御バー３３０とラッチボルト３４０とが係合した状態で、第二当たり面３４３は、戸先側に向かうにしたがって次第に第一当たり面３４２に近接するように傾斜している。
【００４５】
ラッチ係合体３４６は、ラッチポケット３２０のポケット側板部３２４（図３参照。以下同じ。）に当接可能な当接部３４７を有している。ラッチ制御バー３３０とラッチボルト３４０とが係合した状態で、当接部３４７がポケット側板部３２４に当接して、ラッチボルト３４０の戸先側への移動が規制されている。
【００４６】
ラッチ係合体３４６には、吊元側に向かうにしたがって次第にポケット第一板部３２２に近接するように傾斜する傾斜面３４８が形成されている。
【００４７】
ラッチ係合体３４６の上端部には、下方に凹む係合凹部３４９が形成されている。図３に示すラッチ制御バー３３０とラッチボルト３４０とが係合している状態では、ラッチ制御バー３３０の係合片３３４は、ラッチポケット３２０のスリット３２３ｓに挿通され、ラッチボルト３４０の係合凹部３４９に収容されている。これにより、ラッチボルト３４０が、ラッチ係合体３４６をポケット第一板部３２２から離間する方向に回転しようとする際に、ラッチボルト３４０がラッチ制御バー３３０の係合片３３４と干渉するため、回転が規制される。
【００４８】
図４は、ラッチ機構３の構成を示す図であり、奥行方向から見た図であり、ラッチ制御バー３３０とラッチボルト３４０との係合が解除している状態を示している。図４では、ケース第二板部３１６の図示を省略して、ラッチ装置３０の内部の構成を示している。
図４に示すラッチ制御バー３３０とラッチボルト３４０との係合が解除している状態では、ラッチ制御バー３３０の係合片３３４は、ラッチポケット３２０のスリット３２３ｓ内に収まって、ラッチボルト３４０の係合凹部３４９には進入していない。この状態では、ラッチボルト３４０が、ラッチ係合体３４６をポケット第一板部３２２から離間する方向に回転可能とされている。
【００４９】
図２に示すように、ラッチ係合体３４６には、戸先側に向かって凹むばね収容凹部３５０が形成されている。ばね収容凹部３５０には、ばね押さえ部材３５１が設けられている。
【００５０】
追従ピン３６０は、ラッチポケット３２０のポケット側板部３２５のピン挿通孔３２５ｈ（図３参照。以下同じ。）に挿通されている。追従ピン３６０は、円柱状に形成されている。追従ピン３６０は、幅方向に延びている。
【００５１】
追従ピン３６０の周りには、ピンばね３６１が巻回されている。ピンばね３６１の戸先側の端部は、ラッチボルト３４０に設けられたばね押さえ部材３５１に当接している。ピンばね３６１の吊元側の端部は、ラッチポケット３２０のポケット側板部３２５に当接している。ピンばね３６１は、ばね押さえ部材３５１とポケット側板部３２５とを互いに離間する方向に付勢している。これにより、ばね押さえ部材３５１が設けられたラッチボルト３４０は、戸先側に付勢されている。
【００５２】
追従ピン３６０の戸先側の端部３６０ａには、ラッチボルト３４０が吊元側に変位した際に、ラッチボルト３４０に設けられたばね押さえ部材３５１が当接可能とされている。
【００５３】
追従ピン３６０の吊元側の端部３６０ｂは、ラッチ制御バー３３０の被押圧板部３３８に当接している。
【００５４】
図４に示すラッチ制御バー３３０とラッチボルト３４０との係合が解除している状態から、ラッチボルト３４０が吊元側に変位すると、ラッチボルト３４０に設けられたばね押さえ部材３５１が、追従ピン３６０の端部３６０ａに当接し、追従ピン３６０を吊元側に押圧する。
【００５５】
追従ピン３６０の端部３６０ｂは、ラッチ制御バー３３０の被押圧板部３３８に当接している。図３に示すように、ラッチ制御バー３３０は、追従ピン３６０に押圧されることにより、支持軸３１８を中心として揺動する。
【００５６】
ラッチボルト３４０は、ピンばね３６１の付勢力により、戸先側に付勢され、元の位置に戻る。
【００５７】
ラッチ制御バー３３０の係合片３３４がラッチポケット３２０のスリット３２３ｓに挿通されラッチボルト３４０の係合凹部３４９に収容されて、ラッチ制御バー３３０とラッチボルト３４０とが係合し、ラッチボルト３４０の回転が規制されている。
【００５８】
駆動部３７０は、ケース３１０の内部に設けられている。ドア本体２の内部に設けられた制御部（不図示。以下同じ。）から送信される解除信号に基づいて、駆動する。
【００５９】
駆動部３７０の下端部には、駆動軸３７１が設けられている。駆動軸３７１の下端部は、ラッチ制御バー３３０の横板部３３２の幅方向の中間部分に連結されている。本実施形態では、駆動軸３７１が設けられた駆動部３７０として、例えばソレノイドモーターが採用されている。
【００６０】
図１に示すように、電気錠装置４０は、認証部４１を有している。認証部４１は、ドア本体２の一方側の表面に設けられている。認証部４１は、所定の情報を読み取り、読み取った結果を認証信号として制御部に送信する。所定の情報とは、カード情報や、指紋情報、顔情報等適宜設定可能である。
【００６１】
制御部は、認証部４１から送信される認証信号を判断して、所定の条件の場合に図２に示すラッチ制御バー３３０とラッチボルト３４０との係合を解除する解錠信号を駆動部３７０に送信する。
【００６２】
ラッチ制御バー３３０とラッチボルト３４０とが係合している状態から、駆動部３７０が解除信号を受信すると、図４に示すように、駆動部３７０は、駆動軸３７１が接続されているラッチ制御バー３３０を上方に押し上げる方向に駆動する。これにより、ラッチ制御バー３３０とラッチボルト３４０との係合が解除する。
【００６３】
図１に示すように、施解錠装置５０は、シリンダー錠５１と、シリンダー錠５１の施解錠操作が可能なサムターン５２と、シリンダー錠５１及びサムターン５２の少なくとも一方と接続された第一コントロールケーブル５３（図３参照。以下同じ。）と、ラッチ制御バー３３０に接続された第二コントロールケーブル５４（図３参照。以下同じ。）と、を有している。
【００６４】
第一コントロールケーブル５３と第二コントロールケーブル５４とは、磁石等の連結手段５５により、分離可能に連結されている。
【００６５】
図３に示すラッチ制御バー３３０とラッチボルト３４０とが係合している状態から、利用者が、シリンダー錠５１（図１参照。以下同じ。）またはサムターン５２（図１参照。
以下同じ。）を開設定に操作すると、その動力が、第一コントロールケーブル５３、連結手段５５により第一コントロールケーブル５３に接続された第二コントロールケーブル５４及び第二コントロールケーブル５４に接続されたラッチ制御バー３３０へ伝達される。
【００６６】
図４に示すように、第二コントロールケーブル５４が、ラッチ制御バー３３０を上方に押し上げる。これにより、ラッチ制御バー３３０とラッチボルト３４０との係合が解除する。
【００６７】
ラッチ制御バー３３０とラッチボルト３４０との係合が解除すると、第一コントロールケーブル５３と第二コントロールケーブル５４とを連結している連結手段５５は分離し、第一コントロールケーブル５３と第二コントロールケーブル５４とが接続されていない状態となる。
【００６８】
この状態で、シリンダー錠５１またはサムターン５２を閉設定に操作すると、第一コントロールケーブル５３が第二コントロールケーブル５４側に近接して、第一コントロールケーブル５３と第二コントロールケーブル５４とは連結手段５５により連結され、ラッチ制御バー３３０とラッチボルト３４０とは再び係合する。
【００６９】
図５は、図３のＡ−Ａ線断面図である。
図５に示すように、スイッチ６０は、ラッチ装置３０のケース３１０の奥行方向の両側にそれぞれ設けられている。各スイッチ６０は、スイッチ本体６１と、スイッチばね６２と、を有している。
【００７０】
スイッチ本体６１、円柱状に形成され、奥行方向に延びている。各スイッチ本体６１は、それぞれケース３１０のケース第一板部３１１及びケース第二板部３１６に挿通されている。
【００７１】
スイッチ本体６１の一方側の端部６１ａは、ケース３１０の外方、つまりドア本体２（図１参照。以下同じ）の外方に突出している。スイッチ本体６１の他方側の端部６１ｂは、ケース３１０の内部に配置され、ラッチ制御バー３３０の受け部３３７に当接可能とされている。
【００７２】
スイッチばね６２は、スイッチ本体６１の端部６１ａが、ケース３１０の外方に突出するように付勢している。
【００７３】
図６は、図４のＢ−Ｂ線断面図である。
図３及び図５に示すラッチ制御バー３３０とラッチボルト３４０とが係合している状態から、利用者が、スイッチ６０を押すと、図６に示すように、スイッチ６０はケース３１０の内部側に変位する。
【００７４】
スイッチ６０の端部６１ｂが、ラッチ制御バー３３０の受け部３３７の面３３７ａに当接する。受け部３３７は、スイッチ６０に押されて戸先側に変位する。ラッチ制御バー３３０は、支持軸３１８を中心として揺動する。これにより、ラッチ制御バー３３０とラッチボルト３４０との係合が解除する。
【００７５】
次に、上記のドア１の開閉動作について説明する。
電気錠装置４０の操作によって、ドア本体２が閉状態から開状態に移行する動作ついて説明する。
施錠状態では、図３に示すように、ラッチ制御バー３３０とラッチボルト３４０とが係合して施錠されている。利用者が認証部４１に所定の情報を示すと、認証部４１は制御部に認証信号を送信する。制御部は、認証信号を判断して、所定の条件の場合に駆動部３７０に解錠信号を送信する。駆動部３７０は、解錠信号に基づいて、図４に示すように、ラッチ制御バー３３０を上方に押し上げる。
【００７６】
これにより、ラッチ制御バー３３０は、係合片３３４を上方に変位させるように、支持軸３１８を中心に揺動する。ラッチ制御バー３３０とラッチボルト３４０とが係合が解除する。
【００７７】
図７は、ドア本体２が閉状態から開状態に移行する様子を示す図である。
利用者がハンドル２１を把持して、図７に示すように、ドア本体２を開方向（矢印の方向）に動かすと、ラッチボルト３４０の第一当たり面３４２が、縦枠１１ｃのラッチ溝１２の面１２ａに当接する。ラッチボルト３４０は、面１２ａに押されて、二点鎖線Ａ１で示すように、開方向と反対方向に傾斜する。
【００７８】
ドア本体２を開方向に更に動かすと、ラッチボルト３４０は、縦枠１１ｃの側面１１ｅに押されて、二点鎖線Ａ２で示すように、吊元側に変位する。
【００７９】
ラッチボルト３４０の吊元側への変位に伴い、ラッチボルト３４０に設けられたばね押さえ部材３５１が、追従ピン３６０を吊元側に押圧する。ラッチ制御バー３３０は、追従ピン３６０に押圧されることにより、図３に示すように、係合片３３４を下方に変位させるように、支持軸３１８を中心として揺動する。
【００８０】
図７に示すように、ドア本体２が更に開方向に動き、ラッチボルト３４０が縦枠１１ｃから離間すると、ラッチボルト３４０は、ピンばね３６１の付勢力により、二点鎖線Ａ３で示すように突出した状態に戻る。この状態では、図３に示すように、ラッチ制御バー３３０とラッチボルト３４０とは係合している。
【００８１】
なお、制御部から解錠信号が送信されて、駆動部３７０がラッチ制御バー３３０とラッチボルト３４０との係合を解除した後、利用者がドア本体２を開かない場合、一定時間経過後にラッチ制御バー３３０とラッチボルト３４０とを係合するように制御部が設定されていてもよい。
【００８２】
次に、ドア本体２が開状態から閉状態に移行する動作について説明する。
利用者がハンドル２１を把持して、ドア本体２を、図８に示すように、閉方向（矢印の方向）に動かすと、ラッチボルト３４０の第二当たり面３４３が縦枠１１ｃの角部１１ｆに当接し、ラッチボルト３４０が縦枠１１ｃから吊元側に押される。二点鎖線Ｂ１に示すように、ラッチボルト３４０が、吊元側に変位する。
【００８３】
ラッチボルト３４０は、縦枠１１ｃのラッチ溝１２に到達すると、二点鎖線Ｂ２に示すように、ピンばね３６１の付勢力により突出した状態に戻る。
【００８４】
施解錠装置５０及びスイッチ６０の操作によっても、ドア本体２は、電気錠装置４０の場合と同様に、閉状態から開状態に、閉状態から開状態にそれぞれ移行する。
【００８５】
このように構成されたドア装置１００では、ラッチ制御バー３３０とラッチボルト３４０との係合を解除可能な操作手段は、電気錠装置４０、施解錠装置５０及びスイッチ６０の３種類あるため、利用者は複数の操作手段の中から任意の一の操作手段を選択して、ラッチ制御バー３３０とラッチボルト３４０との係合を解除することができる。
【００８６】
また、ドア１を開閉するハンドル２１は、操作手段とは構造的に独立しているため、利用者の好み等に応じてハンドル２１のデザインやハンドル２１の取付位置を選択できる。
よって、ハンドル２１の選択の自由度を高めることができる。また、ドア本体２の表裏面で、異なるデザインのハンドル２１を採用したり、異なる位置にハンドル２１と取り付けたりすることができる。
【００８７】
また、ラッチ装置３０は、ラッチボルト３４０がドア本体２の側面１１ｅから突出するように配置すれば、ドア本体２の側面１１ｅの上下方向の任意の位置に設置することができる。よって、ラッチボルト３４０がドア本体２の側面１１ｅの上端部または端部から突出するように設けて、ラッチボルト３４０が目立たないようにしてもよい。
【００８８】
ラッチ制御バー３３０、ラッチボルト３４０及び駆動部３７０は、同一のケース３１０の内部に配置されているため、ラッチ機構３がコンパクトとなる。
【００８９】
（変形例１）
次に、発明の一実施形態の変形例１に係るラッチ機構及びドア装置について、主に図９を用いて説明する。
下記に示す変形例の説明において、前述した部材と同一の部材には同一の符号を付して、その説明を省略する。
図９は、本発明の一実施形態の変形例１に係るドア装置を示す正面図である。
図９に示すように、本変形例では、枠体１１Ａは、ドア枠１１Ｂと、袖パネル４と、を有している。
【００９０】
ドア枠１１Ｂは、上枠１１ａと、下枠１１ｂと、戸先側の縦枠１１ｃと、吊元側の縦枠１１ｄと、を有している。
【００９１】
ドア枠１１Ｂ内に、ドア１Ａ及び袖パネル４が、幅方向に隣接配置されている。袖パネル４は、ドア１Ａの戸先側に配置されている。
【００９２】
ドア１Ａは、ドア枠１１Ｂ内に開閉可能に配置されている。ハンドル２１Ａは、ドア１Ａに取り付けられている。
【００９３】
袖パネル４は、ドア枠１１Ｂの上枠１１ａ、下枠１１ｂ及び戸先側の縦枠１１ｃに固定されている。ラッチ装置３０、電気錠装置４０、施解錠装置５０及びスイッチ６０は、袖パネル４に設けられている。ラッチ装置３０のラッチボルト３４０（図２参照）は、袖パネル４の側端面４ａから、ドア１Ａ側に出没可能に設けられている。
【００９４】
このように構成されたドア装置１００Ａでは、ラッチ制御バー３３０とラッチボルト３４０との係合を解除可能な操作手段は、電気錠装置４０、施解錠装置５０及びスイッチ６０の３種類あるため、利用者は複数の操作手段の中から任意の一の操作手段を選択して、ラッチ制御バー３３０とラッチボルト３４０との係合を解除することができる。
【００９５】
また、ラッチボルト３４０、ラッチ制御バー３３０、電気錠装置４０、施解錠装置５０及びスイッチ６０は袖パネル４に配置されているため、ドア１Ａを簡易な構成とすることができる。
【００９６】
（変形例２）
次に、発明の一実施形態の変形例２に係るラッチ機構及びドア装置について、主に図１０〜図１８を用いて説明する。
【００９７】
上記に示す実施形態では、ケース３１０の内部に、ラッチポケット３２０、ラッチ制御バー３３０、ラッチボルト３４０、追従ピン３６０及び駆動部３７０が収容されている。本変形例では、図１１（図１０から外側ケーシング７１を取り外した図）に示すように、駆動部３７０Ａは、ラッチボルト３４０Ａ等が収容されるケース３１０Ａとは別に配置されている。
【００９８】
外側ケーシング７１（図１０参照。以下同じ。）の内部に、ケース３１０及び駆動部３７０Ａが配置されている。図１２に示すように、ケース３１０Ａの内部に、ラッチボルト３４０Ａが出没可能に収容されるとともに、ラッチ制御バー（係合部）３３０Ａ（図１２の破線参照。以下同じ。）が収容されている。図１０に示すように、外側ケーシング７１には、スイッチ６０Ａが露出している。駆動部３７０Ａは、ケース３１０の外部に配置されている。
【００９９】
図１２に示すように、駆動部３７０Ａの上端部には、駆動軸３７１Ａが設けられている。駆動軸３７１Ａには、支持部材３７が設けられている。駆動軸３７１Ａは支持部材３７を介して、ラッチボルト３４０Ａに接続されたラッチ制御バー３３０Ａに接続されている。支持部材３７は、第一支持部材３８と、第二支持部材３９を、を有している。
【０１００】
ラッチボルト３４０Ａに接続されたラッチ制御バー３３０Ａは、周知の構造であり、図１３に示すように、支持部材３７が上方に配置された状態でラッチボルト３４０Ａと係合するように構成され、図１４に示すように支持部材３７が下方に配置された状態でラッチボルト３４０Ａとの係合が解除されるように構成されている。
【０１０１】
第一支持部材３８は、第一取付腕部３８１と、第一延出腕部３８２と、一対の第一上下腕部３８３と、を有している。第一取付腕部３８１は、駆動軸３７１Ａに形成された取付凹部３７２に配置されている。第一取付腕部３８１は、駆動軸３７１Ａに固定されている。第一延出腕部３８２は、第一取付腕部３８１の上端部から奥行方向の両側に延びている。第一延出腕部３８２は、ケース３１０Ａの下方に配置されている。第一上下腕部３８３は、第一延出腕部３８２の奥行方向の両端部からそれぞれ上方に延びている。
【０１０２】
第二支持部材３９は、一対の第二取付腕部３９１と、第二連結腕部３９２と、を有している。第二取付腕部３９１は、上下方向に延びている。各第二取付腕部３９１の下端部は、第一上下腕部３８３にそれぞれ連結されている。第二連結腕部３９２は、一対の第二取付腕部３９１の上端部どうしを連結している。第二連結腕部３９２は、ケース３１０Ａに形成された奥行方向に貫通する係止孔３１９に配置されている。第二連結腕部３９２は、ラッチ制御バー３３０Ａに接続されている。第二連結腕部３９２の両端部には、傾斜面３９３が設けられている。傾斜面３９３は、ケース３１０Ａの外側に向かうにしたがって次第に下方に向かって傾斜している。
【０１０３】
図１３に示すように、ラッチ制御バー３３０Ａとラッチボルト３４０Ａとが係合している状態から、駆動部３７０Ａが解除信号を受信すると、図１４に示すように、駆動部３７０Ａは下方に変位する。これによって、駆動部３７０Ａに設けられた駆動軸３７１Ａに接続された支持部材３７が下方に変位し、ラッチ制御バー３３０Ａとラッチボルト３４０Ａとの係合が解除する。
【０１０４】
図１０に示すように、スイッチ６０Ａは、外側ケーシング７１の奥行方向の両側にそれぞれ設けられている。各スイッチ６０Ａは、スイッチ支持体６３Ａと、スイッチ本体６１Ａと、スイッチばね（不図示。以下同じ）と、を有している。
【０１０５】
スイッチ支持体６３Ａは、突出環状部６３１と、支持環状部６３２と、を有している。突出環状部６３１は、外側ケーシング７１における奥行方向を向く面７１ａから外方に突出している。突出環状部６３１は、奥行方向から見て環状に形成されている。支持環状部６３２は、突出環状部６３１の端部から径方向の内側に延びている。支持環状部６３２は、環状に形成されている。
【０１０６】
図１５に示すように、スイッチ本体６１Ａは、スイッチ被押圧部６１１と、支持部材操作部６１２と、を有している。スイッチ被押圧部６１１は、奥行方向から見て円形状をしている。支持部材操作部６１２は、スイッチ被押圧部６１１からケース３１０Ａの内方に延びている。スイッチ被押圧部６１１の先端部は、外側ケーシング７１に形成された不図示の貫通孔に挿通され、ケース３１０Ａの係止孔３１９の内部に配置されている。スイッチ被押圧部６１１の先端部は、尖っている。換言すると、スイッチ被押圧部６１１の先端部の下面６１３は、ケース３１０Ａの内方に向かうにしたがって次第に上方に傾斜して形成されている。スイッチばねは、一対のスイッチ本体６１Ａを互いに離間する方向に付勢している。
【０１０７】
図１５に示すラッチ制御バー３３０Ａとラッチボルト３４０Ａとが係合している状態で、スイッチ本体６１Ａのスイッチ被押圧部６１１は、スイッチ支持体６３Ａの支持環状部６３２に当接配置されている。スイッチ本体６１Ａの支持部材操作部６１２の下面６１３は、支持部材３７の傾斜面３９３の僅かに上方に配置されている。
【０１０８】
この状態から、利用者が、スイッチ本体６１Ａを押すと、図１６に示すように、スイッチ本体６１Ａはケース３１０Ａの内部側に変位する。
【０１０９】
スイッチ本体６１Ａの支持部材操作部６１２の下面６１３が、支持部材３７の傾斜面３９３を下方に押圧する。支持部材３７及び駆動部３７０Ａが、一体となって下方に変位する。これによって、ラッチ制御バー３３０Ａとラッチボルト３４０Ａとの係合が解除する。
【０１１０】
図１７に示すように、ラッチボルト３４０Ａと駆動軸３７１Ａとは、接続部材７２で接続されている。接続部材７２は、第一接続部材７３と、第二接続部材７４と、第三接続部材７５と、を有している。
【０１１１】
図１７に示すラッチボルト３４０Ａがケース３１０Ａから突出した状態で、第一接続部材７３は、戸先側に向かうにしたがって次第に上方に向かうように傾斜している。第一接続部材７３の吊元側の端部７３１は、駆動軸３７１Ａの上端部に連結されている。第一接続部材７３は、奥行方向を軸線方向とする軸部７３４回りに回動可能とされている。
【０１１２】
第二接続部材７４は、第二接続下部７４１と、第二接続上部７４６と、を有している。第二接続下部７４１における吊元側の端部７４２は、第一接続部材７３における戸先側の端部７３２に接続されている。図１７に示す状態で、第二接続下部７４１は、戸先側に向かうにしたがって次第に下方に向かうように傾斜している。第二接続上部７４６は、第二接続下部７４１における戸先側の端部から上方に延びている。図１７に示す状態で、第二接続上部７４６は、戸先側に向かうにしたがって次第に上方に向かうように傾斜している。第二接続部材７４は、第二接続下部７４１の戸先側の端部（第二接続上部７４６の下端部）に設けられ奥行方向を軸線方向とする軸部７４４回りに回動可能とされている。
【０１１３】
第三接続部材７５は、第二接続上部７４６の上端部に接続されている。第三接続部材７５と第二接続上部７４６とは、奥行方向を軸線方向とする軸部７５４回りに回動可能とされている。第三接続部材７５には、ラッチボルト３４０Ａが接続されている。
【０１１４】
次に、ドア本体２が閉状態から開状態に移行する伴う動きについて説明する。
図１７に示す状態では、ラッチボルト３４０Ａが突出しつつ、ラッチ制御バー３３０Ａとラッチボルト３４０Ａとの係合が解除されている。この状態では、図７に示すように、ラッチボルト３４０Ａは、縦枠１１ｃのラッチ溝１２内に配置されている。
【０１１５】
利用者がハンドル２１を把持して、ドア本体２を開方向に動かすと、上記に示す実施形態と同様に、ラッチボルト３４０Ａは図７の二点鎖線Ａ１から二点鎖線Ａ２に示すように変位してケース３１０Ａの内部に収容されていく。
【０１１６】
図１８に示すように、ラッチボルト３４０Ａが吊元側に変位するにともなって、ラッチボルト３４０Ａに接続された第三接続部材７５も吊元側に変位する。第二接続部材７４は軸部７４４及び軸部７５４を中心に回動して、第二接続下部７４１の端部７４２が第一接続部材７３の端部７３２を押し下げる。第一接続部材７３は軸部７３４を中心に回動して、端部７３１が駆動軸３７１Ａの上端部を上方に押し上げ、ラッチ制御バー３３０Ａとラッチボルト３４０Ａとの係合が解除された状態がリセットされる（ラッチ制御バー３３０Ａとラッチボルト３４０Ａとが係合する）。
【０１１７】
ドア本体２が更に開方向に動き、ラッチボルト３４０Ａが縦枠１１ｃから離間すると、ラッチボルト３４０Ａは、付勢力により状態に戻る。この状態では、ラッチ制御バー３３０Ａとラッチボルト３４０Ａとは係合している。
【０１１８】
なお、制御部から解錠信号が送信されて、駆動部３７０Ａがラッチ制御バー３３０Ａとラッチボルト３４０Ａとの係合を解除した後、利用者がドア本体２を開かない場合、一定時間経過後にラッチ制御バー３３０Ａとラッチボルト３４０Ａとを係合するように制御部が設定されていてもよい。
【０１１９】
次に、ドア本体２が開状態から閉状態に移行する動作について説明する。
利用者がハンドル２１を把持して、ドア本体２を、閉方向に動かすと、ラッチボルト３４０Ａは図８の二点鎖線Ｂ１から二点鎖線Ｂ２に示すように変位して、縦枠１１ｃのラッチ溝１２内に配置される。
【０１２０】
このように構成されたドア装置１００では、ラッチ制御バー３３０Ａとラッチボルト３４０Ａとの係合を解除可能な操作手段は、電気錠装置４０、施解錠装置５０及びスイッチ６０Ａの３種類あるため、利用者は複数の操作手段の中から任意の一の操作手段を選択して、ラッチ制御バー３３０Ａとラッチボルト３４０Ａとの係合を解除することができる。
【０１２１】
ラッチボルト３４０Ａ及びラッチ制御バー３３０Ａが収容された既存のケース３１０Ａの内部に対して、駆動部３７０Ａを後から外付けすることができる。
【０１２２】
なお、上述した実施の形態において示した各構成部材の諸形状や組み合わせ等は一例であって、本発明の主旨から逸脱しない範囲において設計要求等に基づき種々変更可能である。
【０１２３】
例えば、上記に示す実施形態では、ラッチ溝１２が縦枠１１ｃに設けられ、ラッチ機構３はドア１に設けられているが、本発明はこれに限られない。凹溝がドアに設けられ、ラッチ機構が枠体に設けられていてもよい。
【０１２４】
また、上記に示す実施形態では、操作手段として、電気錠装置４０、施解錠装置５０及びスイッチ６０の３種類が設けられているが、本発明はこれに限られない。操作手段として、電気錠装置、施解錠装置及びスイッチのうち２種類以上が設けられていればよい。
【０１２５】
また、スイッチとして、上記に示す押込み式以外に、ドアのハンドル付近にセンサが設けられ、センサがドアの開動作を検知して、係合部とラッチとの係合を解除するように構成されていてもよい。
【符号の説明】
【０１２６】
１…ドア
２…ドア本体
３…ラッチ機構
４…袖パネル
１１…枠体
１１ｃ…戸先側の縦枠
１２…ラッチ溝（凹部）
２１…ハンドル
３０…ラッチ装置
４０…電気錠装置（操作手段）
５０…施解錠装置（操作手段）
５１…シリンダー錠
５２…サムターン
６０…スイッチ（操作手段）
１００…ドア装置
３１０…ケース
３２０…ラッチポケット
３３０…ラッチ制御バー（係合部）
３４０…ラッチボルト（ラッチ）
３６０…追従ピン
【図１】
2020165299.tif 000003
【図２】
2020165299.tif 000004
【図３】
2020165299.tif 000005
【図４】
2020165299.tif 000006
【図５】
2020165299.tif 000007
【図６】
2020165299.tif 000008
【図７】
2020165299.tif 000009
【図８】
2020165299.tif 000010
【図９】
2020165299.tif 000011
【図１０】
2020165299.tif 000012
【図１１】
2020165299.tif 000013
【図１２】
2020165299.tif 000014
【図１３】
2020165299.tif 000015
【図１４】
2020165299.tif 000016
【図１５】
2020165299.tif 000017
【図１６】
2020165299.tif 000018
【図１７】
2020165299.tif 000019
【図１８】
2020165299.tif 000020